(57)【要約】【課題】      中竿管の後端部を安定して保持可能にすると共に傷付の発生を防止した釣竿を提供することである。【解決手段】  釣竿は繊維強化樹脂製竿管で形成された元竿管１と第１中竿管２と第２中竿管３が振り出し式に継ぎ合わされている。  元竿管１の後端に元栓４が螺合されて取り付けられ、第１中竿管２の後端に第１尻栓５が螺合されて取り付けられ、第２中竿管３の後端に第２尻栓６が螺合されて取り付けられている。  第１尻栓５には吸着部材８が取り付けられて吸盤８ｄは元栓４の前栓４′の前端部に吸着され、前栓４′に対して後方栓４″を回動して後退することで空気流入路αが出来て吸着が解除されて元竿管１の中から第１中竿管２が引出し可能になる。【選択図】        図４
2007117035.tif 000002
【特許請求の範囲】
【請求項１】
元竿管と、上記元竿管の内側に引き出し可能に収容される第１中竿管と、上記元竿管の手元側の後端部に設けられる元栓と、上記第１中竿管の後端部に設けられる第１尻栓とを具備し、上記元竿管の内側に上記第１中竿管を収容した時に、上記元栓と第１尻栓を吸着させる吸着部材を少なくとも何れか一方に設け、上記元竿管の内側に上記第１中竿管を保持するようにしたことを特徴とする釣竿。
【請求項２】
第１中竿管内の内側に引き出し可能に収容される第２中竿管とを具備し、上記第１尻栓と第２中竿管の後端部に設けられる第２尻栓を吸着させる吸着部材を少なくとも何れか一方に設け、上記第１中竿管の内側に上記第２中竿管を保持するようにしたことを特徴とする請求項１記載の釣竿。
【請求項３】
前記吸着部材は交換可能な吸盤を備えていることを特徴とする請求項１、２記載の釣竿。
【請求項４】
上記元栓は上記元竿管に螺合によって固定される前栓とその後方に位置し前記前栓と螺合又は摺接された後方栓を具備し、上記後方栓を回動することによって上記吸着部材に空気を供給する空気流入路を設けたことを特徴とする請求項３記載の釣竿。
【請求項５】
上記第１中竿管の上記第１尻栓とは反対側の前端部に上記元竿管の先端の内径よりも外径が大きい大径部を有し、この大径部は、上記第１中竿管を上記元竿管に収容する時に、上記元栓と第１尻栓の吸着に先立って上記元竿管に摺動可能に嵌合することを特徴とする請求項１記載の釣竿。
【請求項６】
上記第２中竿管の上記第２尻栓とは反対側の前端部に上記第１中竿管の先端の内径よりも外径が大きい大径部を有し、この大径部は、上記第２中竿管を上記第１中竿管に収容する時に、上記第１尻栓と第２尻栓の吸着に先立って上記第１中竿管に摺動可能に嵌合することを特徴とする請求項２記載の釣竿。
【発明の詳細な説明】
【技術分野】
【０００１】
本発明は、元竿管の中に中竿管を収納する時、中竿管の後端部を安定して保持可能にする釣竿の改良に関する。
【背景技術】
【０００２】
振出式釣竿において、元竿管に第１中竿管を収納させた短い状態を保持しつつ釣りを可能にさせる構造が特許文献１に開示されている。
この中で、元竿管後端部の雌ネジ部に竿尻部品（尻栓）とは別の保持部品を螺着させ、この部品で第１中竿管の後端部を保持する構造が例示されている。
しかし、保持部品や第１中竿管の径のバラツキによって保持力にバラツキが生じたり、第１中竿管外面に傷が発生することも有る。
【特許文献１】特開平８−９８３９号公報
【発明の開示】
【発明が解決しようとする課題】
【０００３】
解決しようとする問題点は、保持部品や中竿管の径のバラツキによって保持力にバラツキが生じたり、中竿管の外面に傷が発生することである。
【０００４】
本発明の目的は前記欠点に鑑み、中竿管の後端部を安定して保持可能にすると共に傷付の発生を防止した釣竿を提供することである。
【課題を解決するための手段】
【０００５】
請求項１に係わる本発明は、元竿管と、上記元竿管の内側に引き出し可能に収容される第１中竿管と、上記元竿管の手元側の後端部に設けられる元栓と、上記第１中竿管の後端部に設けられる第１尻栓とを具備し、上記元竿管の内側に上記第１中竿管を収容した時に、上記元栓と第１尻栓を吸着させる吸着部材を少なくとも何れか一方に設け、上記元竿管の内側に上記第１中竿管を保持するようにしたことを要旨とするものである。
請求項２に係わる本発明は、第１中竿管内の内側に引き出し可能に収容される第２中竿管とを具備し、上記第１尻栓と第２中竿管の後端部に設けられる第２尻栓を吸着させる吸着部材を少なくとも何れか一方に設け、上記第１中竿管の内側に上記第２中竿管を保持するようにしたことを要旨とするものである。
請求項３に係わる本発明は、前記吸着部材は交換可能な吸盤を備えていることを要旨とするものである。
請求項４に係わる本発明は、上記元栓は上記元竿管に螺合によって固定される前栓とその後方に位置し前記前栓と螺合又は摺接された後方栓を具備し、上記後方栓を回動することによって上記吸着部材に空気を供給する空気流入路を設けたことを要旨とするものである。
請求項５に係わる本発明は、上記第１中竿管の上記第１尻栓とは反対側の前端部に上記元竿管の先端の内径よりも外径が大きい大径部を有し、この大径部は、上記第１中竿管を上記元竿管に収容する時に、上記元栓と第１尻栓の吸着に先立って上記元竿管に摺動可能に嵌合することを要旨とするものである。
請求項６に係わる本発明は、上記第２中竿管の上記第２尻栓とは反対側の前端部に上記第１中竿管の先端の内径よりも外径が大きい大径部を有し、この大径部は、上記第２中竿管を上記第１中竿管に収容する時に、上記第１尻栓と第２尻栓の吸着に先立って上記第１中竿管に摺動可能に嵌合することを要旨とするものである。
【発明の効果】
【０００６】
本発明は請求項１によって、元竿管と第１中竿管の後端部は吸着部材で保持されている為、ガタツキ無く、第１中竿管の後端外径のバラツキや摩耗による嵌合力のバラツキも発生し難く、第１中竿管等の傷付きも発生し難い。
元竿管から第１中竿管を引き出して長さが長い状態で使用出来ると共に、元竿管の中に第１中竿管を収納した短い状態でも、元竿管の前端部の内側に第１中竿管の先端外周の大径部が継合され、第１中竿管の後端の第１尻栓に取り付けた吸着部材が元竿管の元栓の前栓に吸着されるから、安定した釣竿の操作が出来る。
請求項２によって、第１中竿管内から第２中竿管を引き出して長さが長い状態で使用出来ると共に、第１中竿管内に第２中竿管を収納した短い状態でも、第１中竿管の先端内径に第２中竿管の先端外周の大径部が継合され、第２中竿管の後端の第２尻栓に取り付けた吸着部材が第１中竿管の第１尻栓に吸着されるから、安定した釣竿の操作が出来る。
元竿管と第１中竿管、第１中竿管と第２中竿管がそれぞれ長さが長い状態と短い状態に対応出来るので、長さ調整範囲が広がる。
請求項３によって、吸着部材は交換可能に取り付けられているから交換も容易で、経時変化や劣化が発生しても交換して本来の吸着力を得ることが出来る。
請求項４によって、元栓の前栓と第１尻栓の間に設けられた吸着部材の吸着の解除は、元栓の前栓に対して後方栓を回動することできわめて容易に解除することが出来て釣り場の状況に応じて釣竿の長さを敏速に調整できる。
【０００７】
請求項５によって、第１中竿管の第１尻栓とは反対側の前端部に元竿管の先端の内径よりも外径が大きい大径部を有し、この大径部を第１中竿管を元竿管に収容する時に、元栓と第１尻栓の吸着に先立って元竿管に摺動可能に嵌合するように構成すると、元竿管と第１中竿管の両者の先側が先に摺動し始めるので、第１中竿管がガタツキ無く元竿管に収納出来、吸着部材の吸盤の円周方向のずれが発生し難い。
また請求項６によって、第２中竿管の場合も、第２尻栓とは反対側の前端部に第１中竿管の先端の内径よりも外径が大きい大径部を有し、この大径部を第２中竿管を第１中竿管に収容する時に、第１尻栓と第２尻栓の吸着に先立って第１中竿管に摺動可能に嵌合するように構成すると、第１中竿管と第２中竿管の両者の先側が先に摺動し始めるので、第２中竿管がガタツキ無く第１中竿管に収納出来、吸着部材の円周方向のずれが発生し難くなる。
【発明を実施するための最良の形態】
【０００８】
釣竿は繊維強化樹脂製竿管で形成された元竿管１と第１中竿管２と第２中竿管３が振り出し式に継ぎ合わされている。
元竿管１の後端に元栓４が螺合されて取り付けられ、第１中竿管２の後端に第１尻栓５が螺合されて取り付けられ、第２中竿管３の後端に第２尻栓６が螺合されて取り付けられている。
第１尻栓５には吸着部材８が取り付けられて吸盤８ｄは元栓４の前栓４′の前端部に吸着され、前栓４′に対して後方栓４″を回動して後退することで空気流入路αが出来て吸着が解除されて元竿管１の中から第１中竿管２が引出し可能になる。
【実施例１】
【０００９】
以下、本発明の実施例を図面に基づき説明すると、図１から図４は第１実施例で図１は元竿管の中に第１中竿管と第２中竿管が収納された釣竿の断面側面図、図２は釣竿の手元側の要部拡大断面側面図、図３は元栓の分解要部断面側面図、図４は元栓の中の後方栓を下降させた要部断面側面図である。
【００１０】
釣竿は繊維強化樹脂製竿管で形成された元竿管１と第１中竿管２と第２中竿管３が振り出し式に継ぎ合わされている。
元竿管１の後端に元栓４が螺合されて取り付けられ、第１中竿管２の後端に第１尻栓５が螺合されて取り付けられ、第２中竿管３の後端に第２尻栓６が螺合されて取り付けられている。
元竿管１は先から元に向って緩やかなテ−パ−状に形成されて後端内周にネジ部１ａが形成されて元栓４の前栓４′外周に形成されたネジ部４ａが螺合されてＯリング１０を挾んで取り付けられている。
元竿管１の先端内径１ｂは内側継合部に形成されている。
【００１１】
元栓４は前栓４′と後方栓４″で構成されて前栓４′の下側に後方栓４″が螺合されている。
元栓４の前栓４′と後方栓４″は金属や合成樹脂で形成されている。
前栓４′は前側筒部４ｂの外側にネジ部４ａが形成されて内側に凹部４ｃが形成され、凹部４ｃの底部４ｄ中心に下方に広がる円錐の透孔４ｅが形成されている。
前栓４′の後側筒部４ｆの内部に凹部４ｇが形成されると共に筒部４ｆの内周にネジ部４ｈが形成され、筒部４ｆの外周にロ−レット処理がなされ、回動する際、手が滑り難い。
後方栓４″は凸部４ｉと鍔部４ｊで形成されて凸部４ｉの外周にネジ部４ｋが形成され、凸部４ｉの内側に浅い凹部４ｍが形成され、鍔部４ｊの外周にロ−レット処理がなされている。
ネジ部４ｈにネジ部４ｋが螺合されている。
ネジ部１ａ、４ａに対してネジ部４ｈ、４ｋは逆ネジに形成されている。
凹部４ｍの中には弾性を有する天然ゴムや合成ゴムや合成樹脂からなる栓部材７の鍔部７ａが落し込まれて固定されている。
栓部材７の鍔部７ａの前側に円錐台７ｂが一体に形成されている。
栓部材７と円錐台７ｂは異なる材料で形成しても良いし、同一材料による一体形成で形成しても良い。
円錐台７ｂに前栓４′の円錐の透孔４ｅに嵌合され、前栓４′に対して後方栓４″がネジ部４ｈに対してネジ部４ｋの回動で、円錐台７ｂが円錐の透孔４ｅから離間された時に出来る隙間が空気流入路αとなる。
【００１２】
第１中竿管２は、先から元に向って緩やかなテ−パ−状に形成されて後端内周にネジ部２ａが形成され、後端外周に継合部２ｂが、先端外周に肉盛りした大径部２ｃが、先端内周に内側継合部２ｄが形成されている。
大径部２ｃは元竿管１の先端内径１ｂより大径に形成されている。
第１中竿管２の後端に螺合された第１尻栓５は弾性を有する天然ゴムや合成ゴムや合成樹脂や金属で形成され、先端筒部５ａと円柱部５ｂと、円柱部５ｂ外周にネジ部５ｃとロ−レット処理部５ｄが形成されている。
ネジ部５ｃはネジ部２ａに螺合されている。
筒部５ａの内側に凹部５ｅが、円柱部５ｂの中心に透孔５ｆと凹部５ｇが形成されて凹部５ｅと透孔５ｆと凹部５ｇは連通されている。
透孔５ｆと凹部５ｇの中には吸着部材８の軸部８ａが挿入されて軸部８ａの外周に形成した周溝８ｂに嵌めたＣリング１１で抜け止めされている。
吸着部材８は弾性を有する天然ゴムや合成ゴムやＰＶＣ、塩化ビニ−ル樹脂、エチレンプロピレン、スチレンブロックポリマ−、スチレン系エラストマ−等で、図で軸部８ａの下側には太径の保持部８ｃと吸盤８ｄが一体に形成されている。
吸盤８ｄは元栓４の前栓４′の前側筒部４ｂの内側の凹部４ｃの底部４ｄ上に載せられている。
【００１３】
第２中竿管３は先から元に向って緩やかなテ−パ−状に形成されて後端内周にネジ部３ａが形成され、後端外周に継合部３ｂが、先端外周に肉盛りした大径部３ｃが形成されている。
大径部３ｃは第１中竿管２の先端内径２ｄより大径に形成されている。
第２中竿管３の後端に螺合された第２尻栓６は弾性を有する天然ゴムや合成ゴムや合成樹脂や金属で形成され、円柱部６ａと、円柱部６ａ外周にネジ部６ｂとロ−レット処理部６ｃが形成されている。
ネジ部６ｂはネジ部３ａに螺合されている。
円柱部６ａの中心に透孔６ｄと凹部６ｅが形成されて透孔６ｄと凹部６ｅは連通されている。
透孔６ｄと凹部６ｅの中には前記吸着部材８と同形の吸着部材８′の軸部８ａが挿入されて軸部８ａの外周に形成した周溝８ｂに嵌めたＣリング１１で抜け止めされている。
吸着部材８′は弾性を有する天然ゴムや合成ゴムや合成樹脂で、図で軸部８ａの下側には太径の保持部８ｃと吸盤８ｄが一体に形成されている。
吸盤８ｄは第１尻栓５の先端筒部５ａの端面上に載せられている。
【００１４】
第１中竿管２の中に第２中竿管３が収納される時は、第１中竿管２の先端内径２ｄに第２中竿管３の先端外周の大径部３ｃが継合される。
第２中竿管３の後端に取り付けられた第２尻栓６には吸着部材８′が取り付けられ、第１中竿管２の中に第２中竿管３が収納される時は吸盤８ｄは第１尻栓５の先端筒部５ａの端面上に載せられて吸着されている。
これによって第２中竿管３の後端の第２尻栓６は第１中竿管２の中で移動することがない。
第１中竿管２の中から第２中竿管３が引き出される時は、まず吸盤８ｄの吸着を解除することになるが、第１中竿管２の先端と第２中竿管３の先端を夫々握って引き出すように回動して吸着を解除するが、元栓４と第１尻栓５を離脱して第１尻栓５から吸着部材８′の吸着を解除する。
第２尻栓６に取り付けられた吸着部材８′は省略してもよい。
【００１５】
元竿管１の中に第１中竿管２が収納される時は、元竿管１の先端内径１ｂの内側継合部に第１中竿管２の先端外周の大径部２ｃが継合される。
第１中竿管２の後端に取り付けられた第１尻栓５には吸着部材８が取り付けられ、元竿管１の中に第１中竿管２が収納される時は吸盤８ｄは元栓４の前栓４′の前側筒部４ｂの内側の凹部４ｃの底部４ｄ上に載せられて吸着されている。
これによって第１中竿管２の後端の第１尻栓５は元竿管１の中で移動することがない。
元竿管１の中から第１中竿管２が引き出される時は、まず吸盤８ｄの吸着が解除されて後、元竿管１の先端と第１中竿管２の先端が夫々握られて引き出されて元竿管１の先端内径１ｂの内側継合部に第１中竿管２の後端外周継合部２ｂが継合される。
吸盤８ｄの吸着を解除する時は図４のように、元栓４の前栓４′に対して後方栓４″を回動することで、後方栓４″と栓部材７が前栓４′から後退して円錐台７ｂが円錐の透孔４ｅから離間され隙間ができて空気流入路αとなり、吸盤８ｄの内側に空気が流入して吸着が解除され、第１中竿管２の上方への引き出しが可能になる。
【００１６】
前記のように釣竿が構成されると、元竿管１と第１中竿管２の後端部は吸着部材８の吸盤８ｄで保持されている為、ガタツキ無く、第１中竿管の後端外径のバラツキや摩耗による嵌合力のバラツキも発生し難く、第１中竿管２等の傷付きも発生し難い。
元竿管１から第１中竿管２を引き出して長さが長い状態で使用出来ると共に、元竿管１の中に第１中竿管２を収納した短い状態でも、元竿管１の前端部の内側に第１中竿管２の先端外周の大径部２ｃが継合され、第１中竿管２の後端の第１尻栓５に取り付けた吸着部材８の吸盤８ｄが元竿管１の元栓４の前栓４′に吸着されるから、安定した釣竿の操作が出来る。
第１中竿管２内から第２中竿管３を引き出して長さが長い状態で使用出来ると共に、第１中竿管２内に第２中竿管３を収納した短い状態でも、第１中竿管２の先端内径２ｄに第２中竿管３の先端外周の大径部３ｃが継合され、第２中竿管３の後端の第２尻栓６に取り付けた吸着部材８′の吸盤８ｄが第１中竿管２の第１尻栓５に吸着されるから、安定した釣竿の操作が出来る。
元竿管１と第１中竿管２、第１中竿管２と第２中竿管３がそれぞれ長さが長い状態と短い状態に対応出来るので、長さ調整範囲が広がる。
吸着部材８は交換可能に取り付けられているから交換も容易で、経時変化や劣化が発生しても交換して本来の吸着力を得ることが出来る。
元栓４の前栓４′と第１尻栓５の間に設けられた吸盤８ｄの吸着の解除は、元栓４の前栓４′に対して後方栓４″を回動することできわめて容易に解除することが出来て釣り場の状況に応じて釣竿の長さを敏速に調整できる。
【００１７】
第１中竿管２の第１尻栓５とは反対側の前端部に元竿管１の先端の内径１ｂよりも外径が大きい大径部２ｃを有し、この大径部２ｃを第１中竿管２を元竿管１に収容する時に、元栓４と第１尻栓５の吸着に先立って元竿管１に摺動可能に嵌合するように構成すると、元竿管１と第１中竿管２の両者の先側が先に摺動し始めるので、第１中竿管２がガタツキ無く元竿管１に収納出来、吸着部材８の吸盤８ｄの円周方向のずれが発生し難い。
また第２中竿管３の場合も、第２尻栓６とは反対側の前端部に第１中竿管２の先端の内径２ｄよりも外径が大きい大径部３ｃを有し、この大径部３ｃを第２中竿管３を第１中竿管２に収容する時に、第１尻栓５と第２尻栓６の吸着に先立って第１中竿管２に摺動可能に嵌合するように構成すると、第１中竿管２と第２中竿管３の両者の先側が先に摺動し始めるので、第２中竿管３がガタツキ無く第１中竿管２に収納出来、吸着部材８′の吸盤８ｄの円周方向のずれが発生し難くなる。
【実施例２】
【００１８】
図５は第２実施例で、図５は元竿管の中に第１中竿管と第２中竿管が収納された釣竿の断面側面図である。
【００１９】
第２実施例では、第１実施例で第１中竿管２に螺合された第１尻栓５に取り付けられた吸着部材８が、吸着部材８″として元栓４の前栓４′に向きを逆向きにして取り付けられている。
元栓４の前栓４′は前側筒部４ｂの外側にネジ部４ａが形成されて内側に凹部４ｃが形成され、凹部４ｃの下側に凹部４ｃより内径の小さい凹部４ｎと透孔４ｏが形成されている。
吸着部材８″は軸部８ａの上側には太径の保持部８ｃと吸盤８ｄが一体に形成され、軸部８ａと保持部８ｃには貫通孔８ｅが形成されて吸盤８ｄの中に連接されている。
吸盤８ｄは第１尻栓５の円柱部５ｂの下端面５ｈに当接されている。
前栓４′の下側に螺合されている後方栓４″の浅い凹部４ｍには板状の栓部材７′が落し込まれて固定されている。
第２尻栓６に取り付けた吸着部材８′の吸盤８ｄは第１尻栓５の円柱部５ｂの上端面５ｉに当接されている。
他の構成は前記第１実施例と略同一である。
【００２０】
吸着部材８″の吸盤８ｄが第１尻栓５の円柱部５ｂの下端面に吸着している時には、吸着部材８″の貫通孔８ｅの下端が栓部材７′で閉塞されている。
元竿管１の中から第１中竿管２が引き出される時は、まず吸盤８ｄの吸着が解除されて後、元竿管１の先端と第１中竿管２の先端が夫々握られて引き出される。
吸盤８ｄの吸着が解除される時は、元栓４の前栓４′に対して後方栓４″がネジ部４ｈに対してネジ部４ｋの回動で、後方栓４″と栓部材７′が後退して栓部材７′と軸部８ａの下端の間に隙間からなる空気流入路ができて貫通孔８ｅに空気が流入することで吸着が解除され、第１中竿管２の上方への引き出しが可能になる。
【実施例３】
【００２１】
図６は第３実施例で、図６は元竿管の中に第１中竿管と第２中竿管が収納された釣竿の断面側面図である。
【００２２】
第３実施例では、吸着部材８の配置が第１実施例と同一であるが、元栓４の前栓４′の偏芯位置に透孔４ｐが形成されている。
前栓４′の後側筒部４ｆの内部の凹部４ｇに板状の栓部材７′が当接されている。
前栓４′に螺合された後方栓４″と板状の栓部材７′の偏芯位置にそれぞれ透孔４ｑと透孔７ｃが形成され、前栓４′の透孔４ｐと後方栓４″と板状の栓部材７′の透孔４ｑと透孔７ｃは不一致の位置に形成されている。
他の構成は前記第１・２実施例と略同一である。
【００２３】
第３実施例では元竿管１の中から第１中竿管２が引き出される時、まず吸盤８ｄの吸着が解除されて後、元竿管１の先端と第１中竿管２の先端が夫々握られて引き出される。
吸盤８ｄの吸着が解除される時は、元栓４の前栓４′に対して後方栓４″がネジ部４ｈに対してネジ部４ｋの回動で、後方栓４″と栓部材７′が後退して栓部材７′と凹部４ｇの下面が離間するとその隙間からなる空気流入路ができて透孔４ｐに空気が流入することで吸着が解除され、第１中竿管２の上方への引き出しが可能になる。
【実施例４】
【００２４】
図７、図８は第４実施例で、図７は元竿管の中に第１中竿管と第２中竿管が収納された釣竿の断面側面図、図８は図７の底面図である。
【００２５】
第４実施例では、吸着部材８の配置が第１実施例と同一であるが、元栓４の前栓４′の略中心位置に透孔４ｒが形成されている。
元栓４の後方栓４″には横梁部４ｓとその上下に凹部４ｔ、４ｕとその前後に透孔４ｖ、４ｗが形成されて横梁部４ｓが後方栓４″の厚さの中心に形成され、後方栓４″の中心の横梁部４ｓに透孔４ｘが形成されている。
横梁部４ｓには上下で２分割して一体的に合体した摺動体９が左右にスライド自在に取り付けられている。
摺動体９には透孔９ａが形成されると共に下側に突起９ｂが形成されている。
摺動体９の上面には栓用の弾性体９′が固定され、弾性体９′に透孔９ａと連通する透孔９ｃが形成されている。
他の構成は前記第３実施例と略同一である。
【００２６】
第４実施例では元竿管１の中から第１中竿管２が引き出される時、まず吸盤８ｄの吸着が解除されて後、元竿管１の先端と第１中竿管２の先端が夫々握られて引き出される。
吸盤８ｄの吸着が解除される時は、元栓４の後方栓４″の摺動体９をスライドすることで透孔４ｒと透孔９ｂと透孔９ａと透孔４ｘが連通するので空気流入路ができて透孔４ｒに空気が流入して吸着が解除され、第１中竿管２の上方への引き出しが可能になる。
【００２７】
前記説明では吸着する部材は吸盤８ｄを備えているが、棒磁石を対向して設け、回動操作で異極の時磁気吸着し、同極の時反発して離間するように構成してもよい。
【産業上の利用可能性】
【００２８】
釣竿の後端部の保持に広く利用できる。
【図面の簡単な説明】
【００２９】
【図１】第１実施例で、元竿管の中に第１中竿管と第２中竿管が収納された釣竿の断面側面図である。
【図２】同釣竿の手元側の要部拡大断面側面図である。
【図３】同元栓の分解要部断面側面図である。
【図４】同元栓の中の後方栓を下降させた要部断面側面図である。
【図５】第２実施例で、元竿管の中に第１中竿管と第２中竿管が収納された釣竿の断面側面図である。
【図６】第３実施例で、元竿管の中に第１中竿管と第２中竿管が収納された釣竿の断面側面図である。
【図７】第４実施例で、元竿管の中に第１中竿管と第２中竿管が収納された釣竿の断面側面図である。
【図８】図７の底面図である。
【符号の説明】
【００３０】
１  元竿管
１ｂ、２ｄ  内径
２  第１中竿管
２ｃ、３ｃ  大径部
３  第２中竿管
４  元栓
４′  前栓
４″  後方栓
５  第１尻栓
６  第２尻栓
８、８′、８″  吸着部材
８ｄ  吸盤
α  空気流入路
【図１】
2007117035.tif 000003
【図２】
2007117035.tif 000004
【図３】
2007117035.tif 000005
【図４】
2007117035.tif 000006
【図５】
2007117035.tif 000007
【図６】
2007117035.tif 000008
【図７】
2007117035.tif 000009
【図８】
2007117035.tif 000010